(57)【特許請求の範囲】
【請求項１】
ディスプレイ画面に映像をディスプレイするステップと、
センサ部及び外部のサーバのうち少なくとも一方を介して天気情報を獲得するステップと、
前記獲得された天気情報に基づいて前記映像を処理し、前記天気情報に対応する第１イメージ効果を前記映像が有するように処理するステップと、
前記第１イメージ効果を有するように処理された前記映像をディスプレイするステップと、
前記第１イメージ効果を有するように処理された前記映像をディスプレイする間、前記ディスプレイ画面にユーザタッチが入力されると、前記ディスプレイされた映像が前記ユーザタッチの入力された前記ディスプレイ画面上の地点に前記獲得された天気情報に対応する第２イメージ効果を有するように処理するステップと、
前記第２イメージ効果を有するように処理された前記映像をディスプレイするステップと、
を含み、
前記第２イメージ効果は、
前記ユーザタッチが終了した地点に水滴がつき、ジャイロセンサ部によって測定された重力方向に向かって前記水滴が滴り落ちる第２イメージ効果であるイメージ処理方法。
【請求項２】
前記天気情報は、
温度情報、湿度情報、降水量情報、雨量情報、紫外線情報、黄砂情報、微細塵情報、気圧情報、風速情報及び風向情報のうち、少なくとも１つを含むことを特徴とする請求項１に記載のイメージ処理方法。
【請求項３】
前記第１イメージ効果を有するように処理するステップは、
獲得された天気情報に応じて、前記映像のピクセルの色相及び透明度を調節するイメージ変形、前記映像と天気情報に対応する映像との間の重畳する部分のピクセルを合成するイメージ組み合わせ及び前記映像に対して領域別に異なる演算を行うマスキング（Ｍａｓｋｉｎｇ）のうち少なくとも１つを行って、前記天気情報に対応する前記第１イメージ効果を有するように処理することを特徴とする請求項１に記載のイメージ処理方法。
【請求項４】
前記第１イメージ効果を有するように処理するステップは、
温度が高いほど柔らかいノイズパターンを発生させて前記映像に前記第１イメージ効果を有するように処理し、温度が低いほど粗いノイズパターンを発生させて霜イメージとイメージ組み合わせを行い、前記映像に前記第１イメージ効果を有するように処理することを特徴とする請求項３に記載のイメージ処理方法。
【請求項５】
前記第１イメージ効果を有するように処理するステップは、
獲得された湿度情報に応じて、前記映像のブラーリング（ｂｌｕｒｒｉｎｇ）効果を有するように処理するか、ノイズ値を調節して前記映像に前記第１イメージ効果を有するように処理することを特徴とする請求項３に記載のイメージ処理方法。
【請求項６】
前記第１イメージ効果を有するように処理するステップは、
湿度が高いほどブラーリング適用領域を拡大させ、ノイズ値を増加させて前記映像が湿気ているような前記第１イメージ効果を有するように処理することを特徴とする請求項５に記載のイメージ処理方法。
【請求項７】
前記ユーザタッチの入力された地点に前記獲得された天気情報に対応する前記第２イメージ効果を有するように処理された前記映像をディスプレイする間、マイクを介して予め設定された周波数を有するユーザ音声が入力されると、前記ユーザタッチの入力された地点にディスプレイされた前記第２イメージ効果を消去するステップを更に含むことを特徴とする請求項１に記載のイメージ処理方法。
【請求項８】
前記第１イメージ効果を有するように処理された前記映像をディスプレイする間に天気情報が変更された場合、前記第１イメージ効果を前記変更された天気情報に対応するように変更するステップを更に含むことを特徴とする請求項１に記載のイメージ処理方法。
【請求項９】
ディスプレイ画面に映像をディスプレイするディスプレイ部と、
天気情報を獲得するセンサ部と、
外部のサーバと通信を行う通信部と、
前記センサ部及び前記外部のサーバのうち少なくとも一方を介して天気情報を獲得し、前記獲得された天気情報に基づいて前記映像が前記天気情報に対応する第１イメージ効果を有するように処理する制御部と
ユーザタッチの入力を受ける入力部と、
を含み、
前記制御部は、
前記第１イメージ効果を有するように処理された前記映像をディスプレイし、
前記第１イメージ効果を有するように処理された前記映像をディスプレイする間、前記ディスプレイ画面にユーザタッチが入力されると、前記ディスプレイされた映像が前記ユーザタッチの入力された前記ディスプレイ画面上の地点に前記獲得された天気情報に対応する第２イメージ効果を有するように処理し、
前記第２イメージ効果を有するように処理された前記映像をディスプレイし、
前記第２イメージ効果は、前記ユーザタッチが終了した地点に水滴がつき、ジャイロセンサ部によって測定された重力方向に向かって前記水滴が滴り落ちる第２イメージ効果であるディスプレイ装置。
【請求項１０】
前記天気情報は、
温度情報、湿度情報、降水量情報、雨量情報、紫外線情報、黄砂情報、微細塵情報、気圧情報、風速情報及び風向情報のうち、少なくとも１つを含むことを特徴とする請求項９に記載のディスプレイ装置。
【請求項１１】
前記制御部は、
獲得された天気情報に応じて、前記映像のピクセルの色相及び透明度を調節するイメージ変形、前記映像と天気情報に対応する映像との間の重畳する部分のピクセルを合成するイメージ組み合わせ及び前記映像に対して領域別に異なる演算を行うマスキング（Ｍａｓｋｉｎｇ）のうち少なくとも１つを行って、前記天気情報に対応する前記第１イメージ効果を有するように処理することを特徴とする請求項１０に記載のディスプレイ装置。
【請求項１２】
前記制御部は、
温度が高いほど柔らかいノイズパターンを発生させて前記映像に前記第１イメージ効果を有するように処理し、温度が低いほど粗いノイズパターンを発生させて霜イメージとイメージ組み合わせを行い、前記映像に前記第１イメージ効果を有するように処理することを特徴とする請求項１１に記載のディスプレイ装置。
【請求項１３】
前記制御部は、
獲得された湿度情報に応じて、前記映像のブラーリング（ｂｌｕｒｒｉｎｇ）効果を有するように処理するか、ノイズ値を調節して前記映像に前記第１イメージ効果を有するように処理することを特徴とする請求項１１に記載のディスプレイ装置。
【発明の詳細な説明】
【技術分野】
【０００１】
本発明は、ディスプレイ装置及びそのイメージ処理方法に関し、より詳細には、ディスプレイ画面に天気情報に対応するイメージ効果を提供するディスプレイ装置及びそのイメージ処理方法に関する。
【背景技術】
【０００２】
近来のディスプレイ装置には、ディスプレイ画面に多様な情報を提供している。例えば、スマートフォン等のような携帯用のディスプレイ装置は、待ち受け画面に時間情報、通信状態情報及びバッテリ情報のような多様な情報をディスプレイすることができる。
【０００３】
なお、最近のディスプレイ装置は、ディスプレイ画面に天気情報を反映して画面を提供する。しかし、従来のディスプレイ装置は、複数の天気情報に対応する複数のイメージを保存し、天気情報を獲得した後、天気情報に対応するイメージをディスプレイする。例えば、天気が晴れの場合は、ディスプレイ装置は太陽の含まれたイメージを提供し、雨の場合は、ディスプレイ装置は雨の降るイメージを提供することができる。
【０００４】
従来のように、メモリに予め保存しておいた複数のイメージのうち、天気情報に対応するイメージを選択して提供する場合、ユーザ入力によるイメージ効果を提供することができないという問題点が存在し、複数のイメージを保存する場合、メモリの使用量に問題が生じるようになる。
【先行技術文献】
【特許文献】
【０００５】
【特許文献１】韓国特許第６０５，８９２号
【発明の概要】
【発明が解決しようとする課題】
【０００６】
そこで、本発明は、上記問題に鑑みてなされたものであり、本発明の目的とするところは、現在ディスプレイされる映像に天気情報に対応するイメージ効果を提供することができるディスプレイ装置及びそのイメージ処理方法を提供することにある。
【課題を解決するための手段】
【０００７】
前記目的を達成するための本発明の一実施形態に係るディスプレイ装置のイメージ処理方法は、ディスプレイ画面に映像をディスプレイするステップと、センサ部及び外部のサーバのうち少なくとも一方を介して天気情報を獲得するステップと、前記獲得された天気情報に基づいて前記映像を処理し、前記天気情報に対応するイメージ効果を提供するステップとを含む。
【０００８】
そして、前記天気情報は、温度情報、湿度情報、降水量情報、雨量情報、紫外線情報、黄砂情報、微細塵情報、気圧情報、風速情報及び風向情報のうち、少なくとも１つを含んでよい。
【０００９】
なお、前記提供するステップは、獲得された天気情報に応じて、前記映像のピクセルの色相及び透明度を調節するイメージ変形、前記映像と天気情報に対応する映像との間の重畳する部分のピクセルを合成するイメージ組み合わせ及び前記映像に対して領域別に異なる演算を行うマスキング（Ｍａｓｋｉｎｇ）のうち少なくとも１つを行って、前記天気情報に対応するイメージ効果を提供してよい。
【００１０】
そして、前記提供するステップは、温度が高いほど柔らかいノイズパターンを発生させて前記映像にイメージ効果を提供し、温度が低いほど粗いノイズパターンを発生させて霜イメージと組み合わせて前記映像にイメージ効果を提供してよい。
なお、提供するステップは、獲得された湿度情報に応じて、前記映像のブラーリング（ｂｌｕｒｒｉｎｇ）効果を提供するか、ノイズ値を調節して前記映像にイメージ効果を提供してよい。
そして、前記提供するステップは、湿度が高いほどブラーリング適用領域を拡大させ、ノイズ値を増加させて前記映像が湿気ているようなイメージ効果を提供してよい。
なお、前記映像にイメージ効果が提供される間、前記ディスプレイ画面にユーザタッチが入力されると、前記ユーザタッチの入力された地点に前記獲得された天気情報に対応するイメージ効果を提供するステップを更に含んでよい。
そして、前記ユーザタッチの入力された地点に前記獲得された天気情報に対応するイメージ効果を提供するステップは、前記ユーザタッチが終了した地点に水滴がつき、ジャイロセンサ部によって測定された重力方向に向かって前記水滴が滴り落ちるイメージ効果を提供してよい。
なお、前記ユーザタッチの入力された地点に前記獲得された天気情報に対応するイメージ効果が提供される間、マイクを介して予め設定された周波数を有するユーザ音声が入力されると、前記ユーザタッチの入力された地点に提供されたイメージ効果を消去するステップを更に含んでよい。
そして、前記イメージ効果を提供する間に天気情報が変更された場合、前記イメージ効果を前記変更された天気情報に対応するように変更するステップを更に含んでよい。
一方、前記目的を達成するための本発明の一実施形態に係るディスプレイ装置は、ディスプレイ画面に映像をディスプレイするディスプレイ部と、天気情報を獲得するセンサ部と、外部のサーバと通信を行う通信部と、前記センサ部及び前記外部のサーバのうち少なくとも一方を介して天気情報を獲得し、前記獲得された天気情報に基づいて前記映像を処理し、前記天気情報に対応するイメージ効果を提供する制御部とを含む。
そして、前記天気情報は、温度情報、湿度情報、降水量情報、雨量情報、紫外線情報、黄砂情報、微細塵情報、気圧情報、風速情報及び風向情報のうち、少なくとも１つを含んでよい。
なお、前記制御部は、獲得された天気情報に応じて、前記映像のピクセルの色相及び透明度を調節するイメージ変形、前記映像と天気情報に対応する映像との間の重畳する部分のピクセルを合成するイメージ組み合わせ及び前記映像に対して領域別に異なる演算を行うマスキング（Ｍａｓｋｉｎｇ）のうち少なくとも１つを行って、前記天気情報に対応するイメージ効果を提供してよい。
そして、前記制御部は、温度が高いほど柔らかいノイズパターンを発生させて前記映像にイメージ効果を提供し、温度が低いほど粗いノイズパターンを発生させて霜イメージと組み合わせて前記映像にイメージ効果を提供してよい。
なお、前記制御部は、獲得された湿度情報に応じて、前記映像のブラーリング（ｂｌｕｒｒｉｎｇ）効果を提供するか、ノイズ値を調節して前記映像にイメージ効果を提供してよい。
そして、前記制御部は、湿度が高いほどブラーリング適用領域を拡大させ、ノイズ値を増加させて前記映像が湿気ているようなイメージ効果を提供してよい。
なお、ユーザタッチが入力されるタッチ入力部を更に含み、前記制御部は、前記映像にイメージ効果が提供される間、前記タッチ入力部を介して前記ディスプレイ画面にユーザタッチが入力されると、前記ユーザタッチの入力された地点に前記獲得された天気情報に対応するイメージ効果を提供してよい。
そして、前記制御部は、前記ユーザタッチが終了した地点に水滴がつき、ジャイロセンサ部によって測定された重力方向に向かって前記水滴が滴り落ちるイメージ効果を提供してよい。
なお、ユーザ音声が入力されるマイクを更に含み、前記ユーザタッチの入力された地点に前記獲得された天気情報に対応するイメージ効果が提供される間、前記マイクを介して予め設定された周波数を有するユーザ音声が入力されると、前記ユーザタッチの入力された地点に提供されたイメージ効果を消去してよい。
そして、前記制御部は、前記イメージ効果を提供する間に天気情報が変更された場合、前記イメージ効果を前記変更された天気情報に対応するように変更してよい。
【発明の効果】
【００１１】
以上説明したように、本発明によれば、ディスプレイ装置は、周辺の天気情報に応じて多様なイメージ効果及び多様なユーザインタラクションを提供することができるようになる。それにより、ユーザは、現在ディスプレイされる映像を介して現在の天気情報を獲得することができ、エンターテイメント的な要素も増加するようになる。
【図面の簡単な説明】
【００１２】
【図１】本発明の一実施形態に係るディスプレイ装置の構成を概略に示すブロック図である。
【図２】本発明の一実施形態に係るディスプレイ装置の構成を詳細に示すブロック図である。
【図３】本発明の一実施形態に係る温度及び湿度に応じて現在ディスプレイされる映像にイメージ効果を提供する実施形態を説明するための図である。
【図４Ａ】本発明の一実施形態によって、温度及び湿度が高い場合、ユーザタッチに対応するイメージ効果を提供する実施形態を説明するための図である。
【図４Ｂ】本発明の一実施形態に係る温度及び湿度が高い場合、ユーザタッチに対応するイメージ効果を提供する実施形態を説明するための図である。
【図５】本発明の別の実施形態によって、温度が低くかつ湿度が高い場合、ユーザタッチに対応するイメージ効果を提供する実施形態を説明するための図である。
【図６】本発明の一実施形態によって、ユーザの息吹によってユーザタッチに対応するイメージ効果を消去する実施形態を説明するための図である。
【図７】本発明の一実施形態に係るイメージ処理方法を概略に説明するためのフローチャートである。
【図８】本発明の一実施形態に係るイメージ処理方法を概略に説明するためのフローチャートである。
【図９】本発明の一実施形態に係る天気情報を獲得してディスプレイ画面にイメージ効果を提供するシステムを示す図である。
【発明を実施するための形態】
【００１３】
以下に添付図面を参照しながら、本発明の好適な実施形態について詳細に説明する。
図１は、本発明の一実施形態に係るディスプレイ装置１００の構成を概略に示すブロック図である。図１に示すように、ディスプレイ装置１００は、ディスプレイ部１１０と、センサ部１２０と、通信部１３０及び制御部１４０を含む。このとき、ディスプレイ装置１００は、スマートフォン、タブレットパソコン、ノートパソコン、テスクトップパソコン等のような多様なディスプレイで実現されてよい。
【００１４】
ディスプレイ部１１０は、制御部１４０の制御によって映像をディスプレイする。特に、ディスプレイ部１１０は、天気情報に応じてイメージ効果の提供された映像をディスプレイすることができる。
【００１５】
センサ部１２０は、天気情報を獲得する。このとき、センサ部１２０は、温度情報を獲得するための温度センサ、湿度情報を獲得するための湿度センサを含んでよい。しかし、センサ部１２０は、温度センサ及び湿度センサを含むことは一実施形態に過ぎず、別の天気情報を獲得するためのセンサ部を含んでよい。
【００１６】
通信部１３０は、外部のサーバと通信を行う。特に、通信部１３０は、外部のサーバ（例えば、気象庁サーバ等）から天気情報を獲得することができる。
【００１７】
制御部１４０は、ディスプレイ装置１００の動作全般を制御する。特に、制御部１４０は、センサ部１２０及び通信部１３０を介して天気情報を獲得し、獲得された天気情報に基づいて現在ディスプレイされる映像を処理して天気情報に対応するイメージ効果を提供することができる。このとき、天気情報は、温度情報、湿度情報、降水量情報、雨量情報、紫外線情報、黄砂情報、微細塵情報、気圧情報、風速情報及び風向情報のうち、少なくとも１つを含んでよい。
【００１８】
具体的に、制御部１４０は、温度センサ及び湿度センサを介して温度情報及び湿度情報を獲得することができる。なお、制御部１４０は、通信部１３０を介して外部のサーバから天気情報を予め設定された周期別に獲得することができる。
【００１９】
天気情報が獲得された場合、制御部１４０は、獲得された天気情報を用いてイメージ処理方法及びイメージ処理量を判断する。このとき、イメージ処理方法としては、フィルタを用いたイメージ変形、別のイメージとのイメージ組み合わせ及びマスキング等を含んでよい。特に、温度情報が獲得された場合、制御部１４０は、獲得された温度情報に応じて映像のノイズ発生パターンを調節したり、予め設定されたイメージを組み合わせるイメージ処理方法を判断することができる。具体的に、制御部１４０は、温度が高いほど柔らかいノイズパターンを発生させ、温度が低いほど粗いノイズパターンを発生させて霜イメージと組み合わせることができる。なお、湿度情報が獲得された場合、制御部１４０は、獲得された湿度情報に応じて映像のブラーリング効果を提供するかノイズ値を調整することができる。具体的に、制御部１４０は、湿度が高いほどブラーリング適用領域を拡大させてノイズ値を増加させることができる。
【００２０】
そして、制御部１４０は、決定されたイメージ処理方法及びイメージ処理量に応じて現在ディスプレイされる映像を処理し、天気情報に対応するイメージ効果を提供することができる。具体的に、制御部１４０は、現在判断された湿度に応じて、現在ディスプレイされる映像が湿気ているようなイメージ効果を提供することができる。なお、制御部１４０は、現在判断された温度情報に応じて、現在ディスプレイされる映像の粗さを調節するイメージ効果を提供することができる。
【００２１】
なお、映像にイメージ効果が提供される間、ディスプレイ画面にユーザタッチが入力されると、制御部１４０はユーザタッチの入力された地点に獲得された天気情報に対応するイメージ効果を提供することができる。例えば、映像が湿気ているイメージ効果が提供される間にディスプレイ画面にユーザタッチが入力されると、制御部１４０はユーザタッチの入力された地点から湿気を除去することができる。そして、温度が高い場合、制御部１４０は湿気の除去された地点に水滴イメージ効果を提供することができ、温度が低い場合、制御部１４０は湿気の除去された地点に霜イメージ効果を提供することができる。
【００２２】
なお、制御部１４０は、ユーザタッチが終了した地点に水滴がつき、ジャイロセンサ部によって測定された重力方向に向かって前記水滴が滴り落ちるようなイメージ効果を提供することができる。
【００２３】
なお、ユーザタッチの入力された地点に獲得された天気情報に対応するイメージ効果が提供される間、マイクを介して予め設定された周波数を有するユーザ音声（例えば、ユーザの息吹）が入力されると、制御部１４０はユーザタッチの入力された地点に提供されたイメージ効果を消去することができる。すなわち、ユーザタッチの入力された地点から湿気が除去された場合、ユーザの息吹が入力されると、制御部１４０はユーザタッチの入力された地点に湿気を再び生成してイメージ効果を提供することができる。
【００２４】
イメージ効果を提供する間に天気情報が変更された場合、制御部１４０は変更された天気情報に対応するようにイメージ効果を変更することができる。
【００２５】
上述のようなディスプレイ装置１００によって、ユーザは現在ディスプレイされる映像を介して現在の天気情報を獲得することができ、エンターテイメント的な要素も増加するようになる。
【００２６】
以下においては、図２ないし図６を参照し、本発明のディスプレイ装置についてより詳細に説明する。図２は、本発明の一実施形態に係るディスプレイ装置２００の構成を詳細に示すブロック図である。図２に示すように、ディスプレイ装置２００は、ディスプレイ部２１０、通信部２２０、センサ部２３０、マイク２４０、タッチ入力部２５０、保存部２６０及び制御部２７０を含む。
【００２７】
ディスプレイ部２１０は、制御部２７０の制御に応じて、映像データをディスプレイする。特に、ディスプレイ部２１０は、天気情報に応じて、イメージ効果の提供された映像をディスプレイすることができる。このとき、イメージ効果の提供された映像を待ち受け画面としてよい。
【００２８】
通信部２２０は、多様な通信方式によって、多様な外部機器と通信を行う構成である。通信部２２０は、Ｗｉ−Ｆｉチップ、ブルートゥースチップ、ＮＦＣチップ、無線通信チップ等のような多様な通信チップを含んでよい。このとき、Ｗｉ−Ｆｉチップ、ブルートゥースチップ、ＮＦＣチップは、それぞれＷｉ−Ｆｉ方式、ブルートゥース方式、ＮＦＣ方式で通信を行う。この中のＮＦＣチップは、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域のうち、１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを利用する場合には、ＳＳＩＤ及びセッションキー等のような各種接続情報を先に送受信し、それを用いて通信接続した後、各種情報を送受信することができる。無線通信チップは、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格によって通信を行うチップを意味する。
【００２９】
一方、通信部２２０は、外部の多様なソースから天気情報を獲得することができる。具体的に、通信部２２０は、外部のサーバ（例えば、気象庁サーバ、ポータルサーバ、通信会社サーバ等）から天気情報を受信することができる。このとき、通信部２２０は、予め設定された周期毎に外部のサーバから天気情報を受信することができる。
センサ部２３０は、多様なセンシングモジュールを用いて天気情報を獲得する。具体的に、センサ部２３０は、温度センサを用いて温度情報を獲得することができ、湿度センサを用いて天気情報を獲得することができる。このとき、センサ部２３０が温度センサ及び湿度センサを含むことは一例に過ぎず、他のセンサを用いて天気情報を獲得することができる。
【００３０】
マイク２４０には、ユーザ音声が入力される。特に、マイク２４０には予め設定された周波数を有するユーザの息吹が入力されることができる。
【００３１】
タッチ入力部２５０には、ディスプレイ装置２００を制御するためのユーザタッチが入力される。特に、タッチ入力部２５０は、天気情報に対応するイメージ効果を提供するためのユーザタッチが入力されることができる。
【００３２】
保存部２６０は、ディスプレイ装置２００を駆動するための多様なモジュールを保存する。例えば、保存部２６０には、ベースモジュール、センシングモジュール、通信モジュール、プレゼンテーションモジュール、ウェブブラウザモジュール、サービスモジュールを含むソフトウェアが保存されてよい。このとき、ベースモジュールは、ディスプレイ装置２００に含まれた各ハードウェアから伝達される信号を処理して上位レイヤモジュールに伝達する基礎モジュールである。センシングモジュールは、各種センサから情報を収集し、収集された情報を分析及び管理するモジュールとして、顔認識モジュール、音声認識モジュール、モーション認識モジュール、ＮＦＣ認識モジュール等を含んでよい。プレゼンテーションモジュールは、ディスプレイ画面を構成するためのモジュールとして、マルチメディアコンテンツを再生して出力するためのマルチメディアモジュール。ＵＩ及びグラフィック処理を行うＵＩレンダリングモジュールを含んでよい。通信モジュールは、外部と通信を行うためのモジュールである。ウェブブラウザモジュールは、ウェブブラウジングを行ってウェブサーバにアクセスするモジュールを意味する。サービスモジュールは、多様なサービスを提供するための各種アプリケーションを含むモジュールである。
【００３３】
上述のように、保存部２６０は、多様なプログラムモジュールを含んでよいが、各種プログラムモジュールは、ディスプレイ装置２００の種類及び特性に応じて、一部省略されたり変形または追加され得ることはいうまでもない。例えば、上述のディスプレイ装置２００がスマートフォンで実現された場合、ベースモジュールにはＧＰＳ基盤の位置を判断するための位置判断モジュールを更に含み、センシングモジュールにはユーザの動作を検知するセンシングモジュールを更に含んでよい。
【００３４】
制御部２７０は、保存部２６０に保存された各種プログラムを用いてディスプレイ装置２００の動作全般を制御する。
制御部２７０は、図２に示すように、ＲＡＭ２７１、ＲＯＭ２７２、グラフィック処理部２７３、メインＣＰＵ２７４、第１ないしｎインターフェース２７５−１〜２７５−ｎ、バス２７６を含む。このとき、ＲＡＭ２７１、ＲＯＭ２７２、グラフィック処理部２７３、メインＣＰＵ２７４、第１ないしｎインターフェース２７５−１〜２７５−ｎ等は、バス２７６を介して相互接続されてよい。
【００３５】
ＲＯＭ２７２には、システムをブートするための命令語セット等が保存される。ターンオン命令が入力されて電源が供給されると、メインＣＰＵ２７４は、ＲＯＭ２７２に保存された命令語に応じて保存部２６０に保存されたＯ／ＳをＲＡＭ２７１にコピーし、Ｏ／Ｓを実行させてシステムをブートさせる。ブートが完了すると、メインＣＰＵ２７４は、保存部２６０に保存された各種アプリケーションプログラムをＲＡＭ２７１にコピーし、ＲＡＭ２７１にコピーされたアプリケーションプログラムを実行させて各種動作を行う。
【００３６】
グラフィック処理部２７３は、演算部（図示せず）及びレンダリング部（図示せず）を用いてポインタ、アイコン、イメージ、テキスト等のような多様な客体を含む画面を生成する。演算部は、入力部から受信された制御命令を用いて画面のレイアウトに応じて各客体が表示される座標値、形、大きさ、カラー等のような属性値を演算する。レンダリング部は、演算部で演算した属性値に基づいて客体を含む多様なレイアウトの画面を生成する。レンダリング部で生成された画面はディスプレイ部１２０のディスプレイ画面内に表示される。
【００３７】
メインＣＰＵ２７４は、保存部２６０にアクセスし、保存部２６０に保存されたＯ／Ｓを用いてブートを行う。そして、メインＣＰＵ２７４は、保存部２６０に保存された各種プログラム、コンテンツ、データ等を用いて多様な動作を行う。
【００３８】
第１ないしｎインターフェース２７５−１ないし２７５−ｎは、上述の各種構成要素と接続される。インターフェースのうちの１つは、ネットワークを介して外部装置と接続されるネットワークインターフェースであってよい。
特に、制御部２７０は、センサ部２３０及び外部のサーバのうち少なくとも一方を介して天気情報を獲得し、獲得された天気情報に基づいて映像を処理して天気情報に対応するイメージ効果を提供する。
【００３９】
具体的に、制御部２７０は、映像をディスプレイする。このとき、映像は待ち受け画面であってよいが、それに限定されるものではない。
そして、制御部２７０は、多様なソースから天気情報を獲得し、具体的に、制御部２７０はセンサ部２３０に含まれた温度センサ及び湿度センサを用いてディスプレイ装置２００の位置する領域の温度情報及び湿度情報を獲得することができる。なお、制御部２７０は、外部のサーバから天気情報を獲得することができる。具体的に、制御部２７０は、ＧＰＳセンサに基づいてディスプレイ装置２００の位置する領域に関する情報を獲得して外部のサーバに伝送し、外部のサーバからディスプレイ装置１００の位置する領域に関する情報を獲得することができる。このとき、天気情報は、温度情報及び湿度情報だけでなく、降水量情報、雨量情報、紫外線情報、黄砂情報、微細塵情報、気圧情報、風速情報及び風向情報等を含んでよい。
【００４０】
制御部２７０は、獲得された天気情報に応じてイメージ処理方法及びイメージ処理量を判断することができる。まず、本発明の一実施形態に係るイメージ処理方法は、イメージ変形、イメージ組み合わせ及びマスキング等が含まれてよい。イメージ変形は、入力映像に基づいてピクセル単位の色相及び透明度値を新たに算出する演算を行うイメージ処理方法として、ブラーリング、ノイズ等を含んでよい。イメージ組み合わせは、１つ以上の映像間で重畳する部分のピクセル同士で特定演算を行って最終ピクセル値を決定するイメージ処理方法として、ａｄｄ、ｓｕｂｔｒａｃｔ、ｍｕｌｔｉｐｌｙ等を含んでよい。マスキング（Ｍａｓｋｉｎｇ）は、映像に特定領域を設定した後、領域別に異なる演算方法を差別的に適用するイメージ処理方法として、ビットマップマスキング（ｂｉｔｍａｐ  ｍａｓｋｉｎｇ）、ベクトルマスキング（ｖｅｃｔｏｒ  ｍａｓｋｉｎｇ）等を含んでよい。
【００４１】
具体的に、獲得された天気情報が温度情報である場合、制御部２７０はイメージ処理方法として、ノイズ発生パターン及びイメージ組み合わせを判断することができる。特に、制御部２７０は、温度が高いほど柔らかいノイズパターンを発生させ、温度が低いほど粗いノイズパターンを発生させることができる。なお、制御部２７０は温度が零下である場合、霜イメージと組み合わせることができ、温度が低いほど霜イメージに加重値を増加させることができる。
なお、獲得された天気情報が湿度情報である場合、制御部２７０はイメージ処理方法として、ブラーリング、ノイズ値調節及びイメージ組み合わせを判断することができる。特に、制御部２７０は、湿度が高いほどブラーリング適用領域を拡大させ、ノイズ値を増加させ、水滴イメージとの組み合わせ頻度も増加させることができる。
一方、上述の実施形態は一例に過ぎず、他の天気情報に基づいてイメージ処理方法及び処理量を決定することができる。例えば、黄砂情報が受信された場合、制御部２７０は黄砂量に応じてノイズ値を増加させることができ、塵イメージと組み合わせを行うことができる。
【００４２】
制御部２７０は、判断されたイメージ処理方法及びイメージ処理量に基づいて現在ディスプレイされる映像を処理してイメージ効果を提供することができる。具体的に、図３の（ａ）に示すような映像がディスプレイされる間、温度が低くかつ湿度が低いと判断される場合、制御部２７０は、図３の（ａ）に示す映像を処理し、図３の（ｂ）に示すように湿度が低い寒い天気のイメージ効果を提供することができる。図３の（ａ）に示すような映像がディスプレイされる間、温度が低くかつ湿度が高いと判断される場合、制御部２７０は、図３の（ａ）に示す映像を処理し、図３の（ｃ）に示すように、湿度の高い寒い天気のイメージ効果を提供することができる。図３の（ａ）に示すような映像がディスプレイされる間、温度が高くかつ湿度が低いと判断される場合、制御部２７０は、図３の（ａ）に示す映像を処理して図３の（ｄ）に示すように、湿度の低い暖かい天気のイメージ効果を提供することができる。図３の（ａ）に示すような映像がディスプレイされる間、温度が高くかつ湿度が高いと判断される場合、制御部２７０は図３の（ａ）に示す映像を処理して図３の（ｅ）に示すように、湿度の高い暑い天気のイメージ効果を提供することができる。
【００４３】
すなわち、制御部２７０は、獲得された天気情報に応じて異なる方法で映像を処理し、図３に示すような天気情報に対応するイメージ効果を提供することができる。
なお、現在ディスプレイされる映像にイメージ効果が提供される間、タッチ入力部２５０を介してディスプレイ画面にユーザタッチが入力されると、制御部２７０は、ユーザタッチの入力された地点に獲得された天気情報に対応するイメージ効果を提供することができる。
【００４４】
具体的に、図３の（ｅ）に示すように、現在ディスプレイされる映像に湿度の高い暑い天気のイメージ効果が提供される間にタッチ入力部２５０を介してユーザタッチが入力されると、制御部２７０は、ユーザタッチの入力された領域をマスキング領域として適用してピクセル演算の差別的適用を行うことができる。それにより、制御部２７０は、ユーザタッチによって湿気ているガラス窓から湿気を除去し、落書きをしたようなイメージ効果を提供することができるようになる。
【００４５】
なお、制御部２７０は、図４Ｂに示すように、ユーザタッチが終了した地点に水滴イメージを組み合わせ、ジャイロセンサ部によって測定された重力方向に向かって水滴が滴り落ちるイメージ効果を提供することができるようになる。このとき、制御部２７０は湿度値に応じて水滴の大きさを調節することができる。すなわち、湿度値が高い場合、制御部２７０は水滴の大きさを増加させることができ、湿度値が低い場合、制御部２７０の水滴の大きさを減少させることができる。
【００４６】
更に別の例として、図３の（ｃ）に示すように、現在ディスプレイされる映像に湿度の高い寒い天気のイメージ効果が提供される間、タッチ入力部２５０を介してユーザタッチが入力されると、制御部２７０はユーザタッチの入力された領域をマスキング領域として適用してピクセル演算の差別的適用を行うことができる。それにより、制御部２７０は、ユーザタッチによって湿気ているガラス窓から湿気を除去して落書きをしたようなイメージ効果を提供することができるようになる。このとき、制御部２７０は、図５に示すように、ユーザタッチが途切れた地点に霜イメージを組み合わせて寒い天気に対するイメージ効果を提供することができる。
【００４７】
なお、図４Ａに示すように、ユーザタッチによって現在ディスプレイされる映像に落書きをしたようなイメージ効果が提供される間、マイク２４０を介して予め設定された周波数を有するユーザ音声（例えば、ユーザの息吹等）が入力された場合、制御部２７０はユーザ音声に応じてブラーリング適用強度及びマスキング領域に対する演算の差別的適用強度を調整し、図６に示すように、ユーザが実際に息を吹きかけたようなイメージ効果を提供することができる。
【００４８】
なお、図３ないし図６のようなイメージ効果を提供する間に天気情報が変更された場合、制御部２７０は変更された天気情報に対応するようにイメージ効果を変更することができる。例えば、図３の（ｅ）に示すようなイメージ効果が提供される間に獲得された天気情報から湿度が下がったと判断された場合、制御部２７０は現在提供されるイメージ効果を図３の（ｄ）に示すようなイメージ効果に変更することができる。
【００４９】
上述のようなディスプレイ装置２００を介して、周辺の天気情報に応じて多様なイメージ効果及び多様なユーザインタラクションが提供できるようになる。
一方、上述の実施形態においては、天気情報が予め設定された周期毎に獲得されるものとして説明してきが、それは一実施形態に過ぎず、ディスプレイ装置２００の位置する領域が変更された場合等のような別のイベントが発生した場合、天気情報を獲得することができる。
【００５０】
なお、上述の実施形態においては、湿度情報及び温度情報に応じてイメージ効果を提供するものとして説明したが、それは一実施形態に過ぎず、別の天気情報（例えば、黄砂情報、大気情報等）に基づいて映像を処理してイメージ効果を提供することができるようになる。
【００５１】
以下においては、図７及び図８を参照して天気情報によるイメージ処理方法について説明する。図７は、本発明の一実施形態に係るディスプレイ装置１００のイメージ処理方法を概略に説明するためのフローチャートである。
【００５２】
まず、ディスプレイ装置１００は映像をディスプレイする（Ｓ７１０）。このとき、ディスプレイ装置１００は待ち受け画面であってよいが、それに限定されるものではない。
そして、ディスプレイ装置１００は、天気情報を獲得する（Ｓ７２０）。具体的に、ディスプレイ装置１００はセンサ部１２０や通信部１３０を介して多様なソースから天気情報を獲得することができる。このとき、天気情報は、温度情報、湿度情報、降水量情報、雨量情報、紫外線情報、黄砂情報、微細塵情報、気圧情報、風速情報及び風向情報のうち、少なくとも１つを含んでよい。
【００５３】
そして、ディスプレイ装置１００は、獲得された天気情報に基づいて映像を処理して天気情報に対応するイメージ効果を提供する（Ｓ７３０）。具体的に、ディスプレイ装置１００は、獲得された天気情報に基づいてイメージ処理方法及び処理量を判断し、判断されたイメージ処理方法及び処理量に応じて現在ディスプレイされる映像を処理し、図３に示すような天気情報に対応するイメージ効果を提供することができるようになる。
【００５４】
図８は、本発明の一実施形態に係るディスプレイ装置２００のイメージ処理方法を詳細に説明するためのフローチャートである。
まず、ディスプレイ装置２００は、映像をディスプレイする（Ｓ８１０）。このとき、ディスプレイされる映像を待ち受け画面としてよい。
【００５５】
そして、ディスプレイ装置２００は、天気情報を獲得する（Ｓ８２０）。具体的に、ディスプレイ装置２００は少なくとも１つのセンサ及び外部のサーバを介して天気情報を獲得することができる。
そして、ディスプレイ装置２００は、天気情報に応じてイメージ処理方法及びイメージ処理量を判断する（Ｓ８３０）。具体的に、獲得された天気情報が温度情報である場合、ディスプレイ装置２００はイメージ処理方法としてノイズ発生パターン及びイメージ組み合わせを判断することができ、獲得された天気情報が湿度情報である場合、ディスプレイ装置２００はイメージ処理方法としてブラーリング、ノイズ値調節え及びイメージ組み合わせを判断することができる。
【００５６】
そして、ディスプレイ装置２００は、判断されたイメージ処理方法及び処理量に応じて現在ディスプレイされる映像に対するイメージ処理を行って天気情報に対応するイメージ効果を提供する（Ｓ８４０）。具体的に、ディスプレイ装置２００は、獲得された温度情報及び湿度情報に基づいて図３に示すように、天気情報に対応するイメージ効果を提供することができる。
そして、ディスプレイ装置２００は、ユーザタッチが入力されたか否かを判断する（Ｓ８５０）。
【００５７】
ユーザタッチが入力された場合（Ｓ８５０−Ｙ）、ディスプレイ装置２００はユーザタッチの入力された地点に天気情報に対応するイメージ効果を提供する（Ｓ８６０）。
具体的に、ディスプレイ装置２００は、図４Ａ及び図５に示すように、ユーザタッチの入力された地点に天気情報に対応するイメージ効果を提供することができる。
そして、ディスプレイ装置２００は、マイク２４０を介してユーザの息吹が入力された否かを判断する（Ｓ８７０）。
【００５８】
ユーザの息吹が入力された場合（Ｓ８７０−Ｙ）、ディスプレイ装置２００はユーザタッチの入力された地点に提供されたイメージ効果を消去する（Ｓ８８０）。具体的に、ディスプレイ装置２００は、図６に示すように、ユーザタッチの入力された地点から湿気が除去されたイメージ効果を消去することができる。
【００５９】
そして、ディスプレイ装置２００は天気情報が変更されたか否かを判断する（Ｓ８９０）。天気情報が変更された場合（Ｓ８９０−Ｙ）、ディスプレイ装置２００は再びステップＳ８３０から現在ディスプレイされる映像に変更された天気情報に対応するイメージ効果を再び提供することができる。
上述のようなイメージ処理方法により、ユーザは現在ディスプレイされる映像を介して天気情報を直観的に確認することができ、ユーザインタラクションによるエンターテイメント的な要素が増加できるようになる。
【００６０】
図９は、本発明の一実施形態に係る天気情報を獲得してディスプレイ画面にイメージ効果を提供するシステムを示す図である。天気情報に対応するイメージ効果を提供するシステム１０は、ディスプレイ装置１００及び外部のサーバ９００を含む。このとき、外部のサーバ９００は気象庁サーバであってよいが、それに限定されるものではない。
【００６１】
ディスプレイ装置１００は、外部のサーバ９００に現在の天気情報を要請する信号及び現在ディスプレイ装置１００が位置する領域に関する情報を伝送することができる。
外部のサーバ９００は、ディスプレイ装置１００に現在ディスプレイ装置１００が位置する領域に関する情報を伝送することができる。
なお、外部のサーバ９００は、予め設定された周期毎にディスプレイ装置１００の位置する領域を判断し、ディスプレイ装置１００に天気情報を伝送することができる。
【００６２】
一方、上述の多様な実施形態に係るディスプレイ装置のイメージ処理方法は、プログラムで実現されてディスプレイ装置または入力装置に提供されてよい。特に、ディスプレイ装置の制御方法を含むプログラムは、非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）に保存されて提供されてよい。
【００６３】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【００６４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００６５】
１００  ディスプレイ装置
１１０  ディスプレイ部
１２０  センサ部
１３０  通信部
１４０  制御部
２００  ディスプレイ装置
２１０  ディスプレイ部
２２０  通信部
２３０  センサ部
２４０  マイク
２５０  タッチ入力部
２６０  保存部
２７０  制御部
２７１  ＲＡＭ
２７２  ＲＯＭ
２７３  グラフィック処理部
２７４  メインＣＰＵ
２７６  バス
９００  サーバ
【図１】
0006334560.tif 000002
【図２】
0006334560.tif 000003
【図３】
0006334560.tif 000004
【図４Ａ】
0006334560.tif 000005
【図４Ｂ】
0006334560.tif 000006
【図５】
0006334560.tif 000007
【図６】
0006334560.tif 000008
【図７】
0006334560.tif 000009
【図８】
0006334560.tif 000010
【図９】
0006334560.tif 000011